(57)【要約】【課題】  敷設する向きを変えることによって、施工の目的や場所に応じた多様な施工が可能な土壌保護マットを提供すること。【解決手段】  シート３０の上面側に位置するブロック上部２１が、シート面に対してなす傾斜角がθ度の側面αと、前記シート面に対してなす傾斜角がθ度よりも小さいφ度の側面βとを少なくとも１組有する形状からなり、一のブロック上部２１の側面αと、該一のブロック上部２１に隣接する他のブロック上部２１の側面βとが対になって、ブロック上部相互間に溝４０が形成されてなることを特徴とする土壌保護マットとする。これにより、溝の底部４１に日光が到達しにくくなり、シート３０の劣化を防止することができる。また、溝４０から雑草が生えてくるのを防止することもできる。【選択図】  図７
2005023760.tif 000002
【特許請求の範囲】
【請求項１】
複数のブロックが、該ブロックに埋設されたメッシュ状のシートによって連結支持されてなる土壌保護マットにおいて、前記ブロックのうち前記シートの上面側に位置するブロック上部が、前記シート面に対してなす傾斜角がθ度の側面αと、前記シート面に対してなす傾斜角がθ度よりも小さいφ度の側面βとを少なくとも１組有する形状からなり、一のブロック上部の側面αと、該一のブロック上部に隣接する他のブロック上部の側面βとが対になって、ブロック上部相互間に溝が形成されてなることを特徴とする土壌保護マット。
【請求項２】
θが９０度よりも大きく１５０度以下であり、かつ、φが２０度以上８０度以下である請求項１記載の土壌保護マット。
【請求項３】
θとφの差が、５度以上１４０度以下である請求項１又は２記載の土壌保護マット。
【請求項４】
θとφの和が、１２０度以上１８０度以下である請求項１〜３いずれか記載の土壌保護マット。
【請求項５】
ブロック上部において、側面α側と側面β側とで厚さが異なる請求項１〜４いずれか記載の土壌保護マット。
【請求項６】
前記ブロックがシートを覆う部分の形状が、平行四辺形である請求項１〜５いずれか記載の土壌保護マット。
【請求項７】
ブロック上部が、側面αと側面βとをそれぞれ２面ずつ有する形状からなる請求項６記載の土壌保護マット。
【請求項８】
複数のブロックが、シートの上面に固着されることによって連結支持されてなる土壌保護マットにおいて、前記ブロックは、前記シートの上面に固着される底面に対してなす傾斜角がθ’度の側面α’と、前記底面に対してなす傾斜角がθ’度よりも小さいφ’度の側面β’とを少なくとも１組有する形状からなり、一のブロックの側面α’と、該一のブロックに隣接する他のブロックの側面β’とが対になって、ブロック相互間に溝が形成されてなることを特徴とする土壌保護マット。
【請求項９】
請求項１〜８いずれか記載の土壌保護マットを法面に敷設する土壌保護マットの施工方法。
【発明の詳細な説明】
【技術分野】
【０００１】
本発明は、土壌面に敷設して施工する土壌保護マットに関する。とくに、法面に施工する土壌保護マット（法面保護マット）に関する。また、土壌保護マットの施工方法に関する。
【背景技術】
【０００２】
河川や湖沼の護岸工事や護床工事に使用される土壌保護マットとして、図１４に示すような、複数のブロック２４が、該ブロック２４に埋設されたメッシュ状のシート３０によって連結支持されてなる土壌保護マット１２が従来知られている。この土壌保護マット１２は、ブロック相互間の境界部で屈撓性を有するものであるために、図１５に示すように、吊り具７０で吊り下げたり、土壌面に沿わせて敷設することなどが可能なものである。
【０００３】
例えば、特開平１１−１１７３１４号公報（特許文献１）には、樹脂繊維又は鋼材からなる連結材と、複数のコンクリートブロックとからなる土壌保護用ブロックスパンであって、前記連結材が、各コンクリートブロックの内部に層状に挟み込まれているとともに、前記連結材によって隣り合った各コンクリートブロックが互いに連結されてなることを特徴とする土壌保護用ブロックスパンが記載されている。これにより、土壌保護用ブロックスパンに可撓性を付与することや、連結材が配筋効果を奏することが可能となる旨が記載されている。また、コンクリートブロックが連結材から剥離するのを防止することができる旨についても記載されている。
【０００４】
【特許文献１】特開平１１−１１７３１４号公報        （特許請求の範囲、発明の効果、図１、図２）
【発明の開示】
【発明が解決しようとする課題】
【０００５】
しかし、特許文献１に記載された土壌保護用ブロックスパンは、目地部が上方に大きく開いたものであるために、連結材が樹脂繊維からなる場合には、コンクリートブロック相互間の目地部の連結材が、日中の長い時間に亘って日光に晒されて劣化するおそれがある。また、連結材が鋼材からなる場合には、雨などによって錆が生じるおそれがある。連結材が劣化して破断すると、該部から土壌が流出するだけでなく、土壌面が崩落することも考えられるために危険である。また、いずれの場合も、ブロックの目地部から雑草が生えてくるのを効果的に防止することができない。さらに、コンクリートブロックの全ての側面が連結材に対して同じ傾斜角で傾いたものであるために、敷設する向きを変えたとしても、一様な効果しか得られないものである。
【０００６】
本発明は、上記課題を解決するためになされたものであり、シートが劣化しにくい土壌保護マットを提供することを目的とする。また、雑草が成長しにくい土壌保護マットを提供することも本発明の目的である。さらに、敷設する向きを変えることによって、多様な施工が可能な土壌保護マットを提供することも本発明の目的である。さらにまた、様々な土壌面において好適に使用することが可能な土壌保護マットの施工方法を提供することも本発明の目的である。
【課題を解決するための手段】
【０００７】
上記課題は、複数のブロックが、該ブロックに埋設されたメッシュ状のシートによって連結支持されてなる土壌保護マットにおいて、前記ブロックのうち前記シートの上面側に位置するブロック上部が、前記シート面に対してなす傾斜角がθ度の側面αと、前記シート面に対してなす傾斜角がθ度よりも小さいφ度の側面βとを少なくとも１組有する形状からなり、一のブロック上部の側面αと、該一のブロック上部に隣接する他のブロック上部の側面βとが対になって、ブロック上部相互間に溝が形成されてなることを特徴とする土壌保護マットを提供することによって解決される。このように、ブロック上部を非対称な形状にすることによって、土壌保護マットの向きを、敷設する場所や目的に応じて、適宜選択することが可能となる。また、傾斜角θや傾斜角φの値によっては、ブロック上部相互間の溝の底部を日陰として、シートの劣化や、その溝から雑草が生えてくるのを効果的に防止することも可能となる。
【０００８】
このとき、θが９０度よりも大きいことが好ましい。これにより、ブロック上部相互間の溝の底部に日陰を形成することが容易になり、紫外線によるシートの劣化を防止することが可能となる。θは、１００度以上であるとより好適であり、１１０度以上であるとさらに好適である。１１５度以上であると最適である。しかし、θが大きすぎると、ブロック上部が外力によって破壊されやすくなるために、θは１５０度以下であることが好ましい。θは、１４０度以下であるとより好適であり、１３０度以下であるとさらに好適である。１２５度以下であると最適である。
【０００９】
また、φが２０度以上であることが好ましい。φが２０度より小さいと、ブロック上部が外力によって破壊しやすくなる。φは、３０度以上であるとより好適であり、３５度以上であるとさらに好適である。４０度以上であると最適である。しかし、φが大きすぎると、土壌保護マットの屈撓性が不十分となるおそれがあるために、φは８０度以下であることが好ましい。φは、６５度以下であるとより好適であり、５５度以下であるとさらに好適である。５０度以下であると最適である。
【００１０】
さらに、θとφの差が、５度以上であることが好ましい。これにより、ブロック上部相互間の溝を傾けて、その底部に日光が届きにくいものとすることが可能となる。θとφの差は、３０度以上であるとより好適であり、５０度以上であるとさらに好適である。６０度以上であると最適である。しかし、θとφの差が大きすぎると、ブロック上部が外力によって破壊されやすくなるために、θとφの差は１４０度以下であることが好ましい。θとφの差は、１２０度以下であるとより好適であり、１００度以下であるとさらに好適である。９０度以下であると最適である。
【００１１】
さらにまた、θとφの和が１２０度以上であることも好ましい。θとφの和が１２０度より小さいと、ブロック上部相互間の溝の底部が、日中の長い時間に亘って日光に晒されるおそれがある。θとφの和は、１４０度以上であるとより好適であり、１５５度以上であるとさらに好適である。１６０度以上であると最適である。しかし、θとφの和が大きすぎると、土壌保護マットの屈撓性が不十分になるだけでなく、ブロックの型抜きが困難になるおそれもあるために、θとφの和は１８０度以下であることが好ましい。θとφの和は、１７５度以下であるとより好適であり、１７０度以下であるとさらに好適である。
【００１２】
ブロック上部において、側面α側と側面β側とで厚さが異なることも好ましい。これにより、土壌保護マットを、敷設する向きによって大きく作用が異なるものとすることができるとともに、土壌保護マットに様々な機能を持たせることも可能となる。例えば、土壌保護マットを法面に施工する場合には、ブロック上部でステップを形成することもできる。側面α側を側面β側よりも厚く形成すると、ブロック上部相互間の溝の底部付近のさらに広い範囲において日陰を形成することも可能となるために好ましい。
【００１３】
前記ブロックがシートを覆う部分の形状は、三角形や四角形などの敷き詰めることが可能な形状であれば特に限定されないが、平行四辺形であることが好ましい。これにより、ブロックの形状を１種類に統一できるだけでなく、ブロックを配する向きも１方向に統一できるために、土壌保護マットを、製造と施工が容易なものとすることが可能となる。ブロックがシートを覆う部分の形状は、長方形や菱形であるとより好適であり、正方形であるとさらに好ましい。
【００１４】
このとき、ブロック上部が、側面αと側面βとをそれぞれ２面ずつ有する形状からなることが好ましい。これにより、ブロック上部相互間の溝の底部を全て日陰とすることも可能となる。このとき、側面α同士が隣接して配されるとより好ましい。これにより、複数のブロック上部の型抜きを１つの型枠で同時に行うことが可能となる。
【００１５】
また、上記課題は、複数のブロックが、シートの上面に固着されることによって連結支持されてなる土壌保護マットにおいて、前記ブロックは、前記シートの上面に固着される底面に対してなす傾斜角がθ’度の側面α’と、前記底面に対してなす傾斜角がθ’度よりも小さいφ’度の側面β’とを少なくとも１組有する形状からなり、一のブロックの側面α’と、該一のブロックに隣接する他のブロックの側面β’とが対になって、ブロック相互間に溝が形成されてなることを特徴とする土壌保護マットを提供することによっても解決される。この土壌保護マットを構成するブロックは、上述の土壌保護マットを構成するブロック上部と実質的に同一だからである。この土壌保護マットにおける、傾斜角θ’、傾斜角φ’、側面α’、側面β’は、それぞれ、上述の土壌保護マットにおける、傾斜角θ、傾斜角φ、側面α、側面βに対応する。
【００１６】
さらに、上記課題は、上記の土壌保護マットを法面に敷設する土壌保護マットの施工方法を提供することによっても解決される。これにより、侵食や崩落のおそれのある法面を、強度の高い土壌保護マットで長期間に亘って保護することが可能となる。
【発明の効果】
【００１７】
本発明の土壌保護マットは、ブロック上部相互間あるいはブロック相互間の溝が傾けられたものであるために、敷設する向きを変えることによって、施工の目的や場所に応じた多様な施工が可能なものである。また、ブロックを連結支持するシートに日光が到達しにくいものであるために、シートが劣化しにくく、施工面の安定性を高めることが可能なものである。また、施工面から雑草が生えてくるのを防止することも可能なものである。このため、施工後のメンテナンス費用などを削減することが可能となる。
【発明を実施するための最良の形態】
【００１８】
以下、図面を使用して、本発明の土壌保護マットをより詳細に説明する。図１は、埋設タイプの土壌保護マットの斜視図である。図２は、埋設タイプの土壌保護マットの平面図である。図３は、埋設タイプの土壌保護マットの底面図である。図４は、埋設タイプの土壌保護マットの正面図である。図５は、埋設タイプの土壌保護マットの右側面図である。図６は、ブロック上部の斜視図である。図７は、図５におけるＡ部を拡大した図である。図８は、本発明の土壌保護マットの他の態様を示した右側面図である。図９は、図８に示す土壌保護マットを法面に敷設した状態を示した図である。
【００１９】
本発明の土壌保護マットは、好適な実施態様として、複数のブロックが該ブロックに埋設されたメッシュ状のシートによって連結支持されてなるもの（埋設タイプ）と、複数のブロックがシートの上面に固着されることによって連結支持されてなるもの（貼着タイプ）とがある。以下においては、埋設タイプの土壌保護マットを中心に説明するが、その中で言及された構成は、貼着タイプの土壌保護マットにおいて採用することが不可能なものであるということが本発明の趣旨から自明でない限り、貼着タイプの土壌保護マットにおいても採用することが可能なものである。
【００２０】
埋設タイプの土壌保護マット１０は、図１〜図５に示すように、複数のブロック２０が、該ブロックに埋設されたメッシュ状のシート３０によって連結支持されてなる。１枚のシート３０に連結支持されるブロック２０の個数は、施工する土壌面の広さやブロック２０の寸法によって適宜調整され、特に限定されないが、本実施態様においては、２５個のブロック２０を５行５列に配している。埋設タイプの土壌保護マット１０においては、一のブロック上部２１と一のブロック下部２２とが１組になったものをブロック２０と呼んでいる。このとき、シート３０の周縁部に余裕を持たせておくことが好ましい。これにより、隣接する土壌保護マット１０との重ねしろや、施工の際に吊り具で保持する部分を確保することが可能となる。
【００２１】
この土壌保護マット１０は、シート３０の上面側に位置するブロック上部２１と、シート３０の下面側に位置するブロック下部２２とが、メッシュ状のシート３０を介して一体的に成形されたものであるために、ブロック２０とシート３０との固着強度に優れたものである。また、ブロック下部２２が、アンカーの役割を果たすために、設置安定性にも優れており、敷設する土壌面が複雑な形状である場合や、急な法面である場合にも好適に使用することができるものである。
【００２２】
ブロック上部２１は、図６に示すように、１つの上面５０と４つの側面（５２〜５５）とを有する形状に成形されている。図６は、説明の便宜上、ブロック上部２１だけを抜粋して示したものであり、実際には、仮想底面５１の下側に、シート３０とブロック下部２２が存在する。仮想底面５１は、ブロック２０がシート３０を覆う部分と一致し、シート面と平行である。上面５０と仮想底面５１は、共に正方形となっている。上面５０は、意匠が施されたものであってもよい。仮想底面５１の１辺の長さは、通常５０〜５００ｍｍであり、本実施態様においては２００ｍｍとなっている。また、ブロック上部２１の厚さは、通常５〜５０ｍｍであり、本実施態様においては２０ｍｍとなっている。
【００２３】
また、隣り合う２つの側面（５２、５３）は、シート面に対してなす傾斜角θが１２０度の側面αとなっており、残りの２つの側面（５４、５５）は、シート面に対してなす傾斜角φが４５度の側面βとなっている。一のブロック上部の側面αは、図７に示すように、該一のブロック上部に隣接する他のブロック上部の側面βと対になって、ブロック上部相互間に溝４０を形成する。図においては、側面αの下端と側面βの下端とが溝の底部４１で接しているが、これは模式的に示したものであり、実際には、側面αの下端と側面βの下端との間に隙間が生じて、その隙間からシート３０が覗く場合がある。また、ブロック上部相互間にアンカーピンを打ちたいときなどには、意識的に隙間を設ける場合もある。θとφの差は、本実施態様において、７５度となっており、溝４０の傾き角（側面αと側面βとがなす角を２等分する平面がシート面に対してなす角）が５２．５度（＝９０−（θ−φ）／２）となっている。また、θとφの和は、１６５度となっており、溝４０の開き角（側面αと側面βとがなす角）が１５度（＝１８０−（θ＋φ））となっている。
【００２４】
ブロック上部の形状は、上記のものに限定されず、上面や仮想底面が、三角形や六角形であってもよい。このような形状として、例えば、三角柱や六角柱（高さの低い板状のものを含む）を例示することができる。また、ブロック上部は、上面を有さない形状であってもよい。このような形状として、例えば、仮想底面が四角形であり、仮想底面の各辺に接続する２対の側面のうち１対の側面が三角形で残りの１対の側面が四角形である五面体などが例示される。
【００２５】
また、本実施態様のブロック上部２１は、上面５０と仮想底面５１とが平行となっており、側面α側の厚さと側面β側の厚さとが等しいものであるが、図８に示す土壌保護マット１１のように、側面α側の厚さＬ１と側面β側の厚さＬ２とが異なるものも好適である。土壌保護マット１１のブロック上部２３は、側面α側の厚さＬ１が側面β側の厚さＬ２よりも厚いものとなっている。これにより、図９に示すように、ブロック上部２３の上面を段違いにして、法面６０にステップを形成することも可能となる。また、土壌保護マット１１を、図９の向きと逆向きに（側面αが法面の傾斜の上方を向くように）敷設すると、法面６０に手掛りを形成することも可能となる。このため、土壌保護マット１１は、人が集まる湖沼や河川の護岸工事に使用するものとして好適である。これにより、水中に転落した人が陸上まで容易に上ってくることができる。
【００２６】
ブロック下部２２は、図３〜図５に示すように、土壌保護マット１０の屈撓性や敷設面への設置安定性などを考慮して、四角錐台形状に成形している。ブロック下部２２の厚さや底面の形状は、土壌保護マット１０を敷設する土壌面の硬さや傾斜などを考慮して決定される。ブロック下部２２の厚さは、通常５〜５０ｍｍであり、本実施態様においては２０ｍｍとなっている。また、ブロック下部２２の底面は、１辺の長さが１８０ｍｍの正方形となっている。また、ブロック下部２２の仮想上面は、１辺の長さが２００ｍｍの正方形となっており、ブロック上部２１の仮想底面５１と一致している。
【００２７】
ブロック２０の素材は、土壌を保護するのに十分な耐久性を有するものであればよく、コンクリートやモルタルを例示することができる。本実施態様においては、コンクリートを使用している。また、土壌保護マット１０を施工する場所や目的によっては、モルタルや樹脂に、木片、灰、炭化物などを混ぜたものを使用してもよいし、これらの素材を多孔質に成形してもよい。ブロック２０の成形は、通常、型枠に素材を流し込むことによって行われる。
【００２８】
シート３０は、貼着タイプの土壌保護マットに使用する場合には、密に織られた織物を使用しても構わないが、埋設タイプの本実施態様においては、ブロック上部２１とブロック下部２２との繋がりや通水性を考慮して、メッシュ状の織物を使用している。シート３０の素材は、土壌を保護するのに十分な強度を有するものであればよく、ビニロンやナイロンなどの繊維素材や、ポリプロピレンやポリエチレンなどのフラットヤーン素材を例示することができる。このような素材を使用して製織することによってシート３０が製造される。紫外線遮蔽の目的で、シート３０の表面に樹脂コーティングを施すことも好ましい。シート３０の寸法は、本実施態様において、縦が１６００ｍｍで横が１３００ｍｍである。
【００２９】
ブロック２０とシート３０の固着は、貼着タイプの土壌保護マットであれば、通常、接着剤を使用して行うが、埋設タイプの土壌保護マットの場合には、以下の方法により行うのが好ましい。まず、下型の内部に素材を流し込み、それにメッシュ状のシート３０を被せる。次に、シート３０に上型を載せて、その内部に素材を流し込み、その後、素材を固化させる。上下が逆であっても構わない。これにより、上型内部の素材と下型内部の素材とを、シート３０に設けられた網目を通じて繋がった状態で固化させることが可能となり、ブロック２０とシート３０との一体性を高めることが可能となる。
【００３０】
このとき、ブロック相互間の境界部に素材が流入して固化すると、隣り合うブロック同士が一体的に繋がった状態で固化されることもあり得るが、これは、土壌保護マット１０の屈撓性に大きな影響を与えるものではない。境界部で固化した素材は、土壌保護マット１０を吊り具で吊り下げる際や土壌面に敷設する際に、自然に割れる程度の厚さしか有していないためである。その割れ目は、シート３０が覗いた目地部となる。目地部の幅（溝の底部４１の幅）は、通常５〜２０ｍｍに形成される。この目地部は、土壌保護マット１０を土壌面に固定するためのアンカーピンを打ち込む箇所としても活用される。
【００３１】
上記の固着方法において、上型と下型を、ポリ乳酸などの脂肪族ポリエステルに代表される生分解性プラスチックによって成形しておき、土壌保護マット１０に埋め込んだまま目地部の被覆材として使用することも好ましい。これにより、土壌保護マット１０の製造工程を単純化できるだけでなく、シート３０の劣化をさらに防止することも可能となる。
【００３２】
続いて、本発明の土壌保護マットの施工方法について具体的に説明する。本発明の土壌保護マットは、それを敷設する向きを変えることによって、得られる効果の種類や大小を調節することが可能なものである。以下においては、このことを、２つの施工例を用いて説明するが、本発明の土壌保護マットの施工方法は、これに限定されるものではなく、土壌保護マットをその他の向きに敷設するものであってもよい。また、図１に示す埋設タイプの土壌保護マット１０を使用して説明するが、他の態様の土壌保護マットを使用するものであってもよい。さらに、土壌保護マット１０を敷設する土壌面は、北緯３５度に位置する南向きの法面（傾斜角３０度）としているが、その他の土壌面であっても使用可能である。
【００３３】
まず、第１の施工例について説明する。図１０は、土壌保護マット１０を、北緯３５度に位置する南向きの法面６１（傾斜角３０度）に、側面αが法面６１の傾斜の下方を向くように敷設した状態を示した図である。ブロック下部２２は、土壌中に沈み込んでいるために、図示されていない。土壌保護マット１０の目地部には、アンカーピンが打ち込まれている。アンカーピンを打ち込む本数は、土壌保護マット１０の重量や法面の傾斜角によって異なるが、面密度が１２５〜１４０ｋｇ／ｍ２の土壌保護マットを、傾斜角が３０度の法面に敷設する場合には、１ｍ２につき０．６本以上打ち込むと好ましい。これにより、土壌保護マット１０を法面にさらに強く固定することが可能となる。土壌保護マット１０をこのような向きに施工すると、溝４０が法面６１の傾斜の下方を向く。このため、溝４０に土やゴミがたまるのを防止したい場合に好適である。
【００３４】
また、図１１は、図１０におけるＢ部を拡大したものであるが、これを見ると、１５度（矢印８２）〜３０度（矢印８３）の高度の太陽から照射される日光は溝の底部４１に到達するものの、それ以外の高度の太陽から照射される日光は溝の底部４１に到達できないことが分かる。とくに、３０度（矢印８３）よりも高い高度の太陽から照射された日光は、溝の底部４１に全く到達できないことが分かる。このことは、シート３０の劣化防止に好都合である。日光は、それが照射された太陽の高度が高ければ高いほど、紫外線を吸収するオゾン層を通過する距離が短くなり、紫外線を多く含んだ状態で到達するが、それが照射された太陽の高度が低ければ低いほど、紫外線量が少ない状態で地表に到達するためである。法面６１の傾斜角や向きなどによっては、年中の全ての時間帯において溝の底部４１を日陰とすることも可能である。
【００３５】
一方、図１６は、図１４に示す従来の土壌保護マット１２を、図１０と同様の法面６１に敷設した状態を示した、図１１に相当する図である。従来の土壌保護マット１２のブロック相互間の溝の開き角は、図１０に示す土壌保護マット１０と同じ１５度に設定している。これを見ると、０度（矢印８０）〜５２．５度（矢印８４）の高度の太陽から照射された日光と、６７．５度（矢印８５）〜７８．５度（矢印８１）の高度の太陽から照射された日光は、溝の底部４１に到達できないものの、５２．５度（矢印８４）〜６７．５度（矢印８５）といった比較的高い高度の太陽から照射された日光が溝の底部４１に到達することが分かる。このため、シート３０の劣化はあまり防止されない。従来使用されている土壌保護マットには、ブロック相互間の溝の開き角が１５度よりも大きいものも多く、この場合には、シート３０の劣化はさらに激しいものとなる。
【００３６】
次に、第２の施工例について説明する。図１２は、土壌保護マット１０を、北緯３５度に位置する南向きの法面６１（傾斜角３０度）に、側面αが法面６１の傾斜の上方を向くように敷設した状態を示した図である。土壌保護マット１０をこのような向きに施工すると、溝４０が法面６１の傾斜の上方を向く。このため、法面６１に足場や手掛りを形成したい場合に好適である。
【００３７】
また、図１３は、図１２におけるＣ部を拡大したものであるが、これを見ると、０度（矢印８０）〜７８．５度（矢印８１）の高度の太陽から照射される全ての日光が、溝の底部４１に到達できないことが分かる。このことは、年中の全ての時間帯において溝の底部４１が日陰となることを意味している。北緯３５度の地点において、太陽の高度が、夏至の南中時の７８．５度より高くなることはないためである。溝の底部４１が年中の全ての時間帯において日陰となることに関しては、法面６１の傾斜角が３０度の場合だけでなく、４１．５度より小さい場合であれば同様である。土壌保護マットを敷設する法面の傾斜角は、４０度以下であることが多く、なかでも２５度〜３５度であることが多いが、本例の土壌保護マットの施工方法は、これらの法面全てにおいて好適に使用することが可能である。
【００３８】
このように、傾斜角がθ−ｘ度よりも小さい赤道向きの法面に土壌保護マットを敷設する場合には、側面αが斜面の傾斜の上方を向くように敷設すると好ましい。ここで、赤道向きとは、北半球においては南向き、南半球においては北向きを意味する。また、ｘは、太陽の最高高度を意味し、北半球においては、夏至の太陽の南中高度を意味する。ｘの値は、９０度に地軸の傾き２３．５度を加えた値から、土壌保護マットを敷設する地点の緯度を引くことによって、求めることができる。これにより、年中の全ての時間帯において、溝の底部を日陰とすることが可能となる。
【００３９】
本発明の土壌保護マットの施工方法は、施工する土壌面が陸上である場合は勿論のこと、水中や水際部である場合にも好適に使用することができる。具体的には、河川、湖沼又は溜池などの護岸工事や護床工事にも好適に使用することができる。また、施工する土壌面が法面である場合は勿論のこと、土壌面が水平である場合にも好適に使用することができる。
【図面の簡単な説明】
【００４０】
【図１】埋設タイプの土壌保護マットの斜視図である。
【図２】埋設タイプの土壌保護マットの平面図である。
【図３】埋設タイプの土壌保護マットの底面図である。
【図４】埋設タイプの土壌保護マットの正面図である。
【図５】埋設タイプの土壌保護マットの右側面図である。
【図６】ブロック上部の斜視図である。
【図７】図５におけるＡ部を拡大した図である。
【図８】本発明の土壌保護マットの他の態様を示した右側面図である。
【図９】図８に示す土壌保護マットを法面に敷設した状態を示した図である。
【図１０】図１に示す埋設タイプの土壌保護マットを、北緯３５度に位置する南向きの法面（傾斜角３０度）に、側面αが法面の傾斜の下方を向くように敷設した状態を示した図である。
【図１１】図１０におけるＢ部を拡大した図である。
【図１２】図１に示す埋設タイプの土壌保護マットを、北緯３５度に位置する南向きの法面（傾斜角３０度）に、側面αが法面の傾斜の上方を向くように敷設した状態を示した図である。
【図１３】図１２におけるＣ部を拡大した図である。
【図１４】従来の土壌保護マットの斜視図である。
【図１５】従来の土壌保護マットを吊り具で吊り上げた状態を示した図である。
【図１６】従来の土壌保護マットを、北緯３５度に位置する南向きの法面（傾斜角３０度）に敷設した状態を示した図１１に相当する図である。
【符号の説明】
【００４１】
１０  埋設タイプの土壌保護マット
１１  他の態様の土壌保護マット
１２  従来の土壌保護マット
２０  ブロック
２１  ブロック上部
２２  ブロック下部
２３  ブロック上部
２４  ブロック
２５  ブロック上部
２６  ブロック下部
３０  シート
４０  溝
４１  溝の底部
５０  ブロック上部の上面
５１  ブロック上部の仮想底面
５２  ブロック上部の側面（側面α）
５３  ブロック上部の側面（側面α）
５４  ブロック上部の側面（側面β）
５５  ブロック上部の側面（側面β）
６０  法面
６１  北緯３５度に位置する南向きの法面（傾斜角３０度）
７０  吊り具
８０  高度が０度の太陽から照射された日光
８１  高度が７８．５度の太陽から照射された日光
８２  高度が１５度の太陽から照射された日光
８３  高度が３０度の太陽から照射された日光
８４  高度が５２．５度の太陽から照射された日光
８５  高度が６７．５度の太陽から照射された日光
【図１】
2005023760.tif 000003
【図２】
2005023760.tif 000004
【図３】
2005023760.tif 000005
【図４】
2005023760.tif 000006
【図５】
2005023760.tif 000007
【図６】
2005023760.tif 000008
【図７】
2005023760.tif 000009
【図８】
2005023760.tif 000010
【図９】
2005023760.tif 000011
【図１０】
2005023760.tif 000012
【図１１】
2005023760.tif 000013
【図１２】
2005023760.tif 000014
【図１３】
2005023760.tif 000015
【図１４】
2005023760.tif 000016
【図１５】
2005023760.tif 000017
【図１６】
2005023760.tif 000018